(57)【特許請求の範囲】
【請求項１】
画素電極と対向電極との間の電位差に基づいて第１表示輝度からこの第１表示輝度よりも小さい第２表示輝度までの間の表示輝度に制御される表示画素が行および列方向にマトリクス状に配列されて成る表示パネルと、一垂直走査期間内で前記画素電極と前記対向電極との間の電位差の極性を一または複数の前記表示画素毎に異ならしめて画像表示を成す駆動回路部とを備えたアクティブマトリクス型表示装置の調整方法において、
前記一垂直走査期間内で前記画素電極と前記対向電極との間の電位差の極性が互いに等しい第１の表示画素群の表示輝度を実質的に前記第１表示輝度または前記第２表示輝度に設定する工程と、
前記一垂直走査期間内で前記画素電極と前記対向電極との間の電位差の極性が互いに等しい前記第１の表示画素群と異なる第２の表示画素群の表示輝度を前記第１表示輝度と前記第２表示輝度との間の第３表示輝度に設定する工程と、
前記電位差を調整する工程と、
を備えたことを特徴とするアクティブマトリクス型表示装置の調整方法。
【請求項２】
前記電位差を調整する工程は、フリッカが低減される電位差に設定することを特徴とする請求項１に記載のアクティブマトリクス型表示装置の調整方法。
【請求項３】
前記駆動回路部は、一または複数の垂直走査期間毎にそれぞれの前記画素電極と前記対向電極との間の電位差の極性を異ならしめることを特徴とする請求項１に記載のアクティブマトリクス型表示装置の調整方法。
【請求項４】
前記表示パネルはスイッチ素子を介して信号線および走査線に接続される画素電極がマトリクス状に配列されるアレイ基板と、前記画素電極に対向する対向電極を含む対向基板とを備えたことを特徴とする請求項１に記載のアクティブマトリクス型表示装置の調整方法。
【請求項５】
前記調整工程は、前記対向電極に印加される対向電極電位を調整することを特徴とする請求項４に記載のアクティブマトリクス型液晶表示装置の調整方法。
【請求項６】
前記第１の表示画素群と前記第２の表示画素群とは、一または複数の行毎に順次配列されることを特徴とする請求項１に記載のアクティブマトリクス型表示装置。
【請求項７】
前記第１の表示画素群と前記第２の表示画素群とは、一または複数の列毎に順次配列されることを特徴とする請求項１に記載のアクティブマトリクス型表示装置。
【請求項８】
前記第１の表示画素群と前記第２の表示画素群とは、一または複数の表示画素毎に順次配列されることを特徴とする請求項１に記載のアクティブマトリクス型表示装置。
【請求項９】
前記第３表示輝度は、前記第１表示輝度を１００、前記第２表示輝度を０とした場合、３０から７０の表示輝度を達成する状態であることを特徴とする請求項１に記載のアクティブマトリクス型表示装置。
【請求項１０】
前記第３表示輝度は、４０から５０の表示輝度を達成する状態であることを特徴とする請求項９に記載のアクティブマトリクス型表示装置。
【請求項１１】
前記第１の表示画素群の表示輝度設定工程が、前記第１表示輝度に設定することを特徴とする請求項１に記載のアクティブマトリクス型表示装置。
【請求項１２】
前記第１表示画素群が白表示を成すことを特徴とする請求項１１に記載のアクティブマトリクス型表示装置。
【請求項１３】
前記第１の表示画素群の表示輝度設定工程が、前記第２表示輝度に設定することを特徴とする請求項１に記載のアクティブマトリクス型表示装置。
【請求項１４】
前記第２表示画素群が黒表示を成すことを特徴とする請求項１３に記載のアクティブマトリクス型表示装置。
【請求項１５】
画素電極と対向電極との間の電位差に基づいて第１光透過率から第２光透過率の間に光透過率が制御される表示画素が行および列方向にマトリクス状に配列されて成る表示パネルと、一垂直走査期間内で前記画素電極と前記対向電極との間の電位差の極性を一または複数の前記表示画素毎に異ならしめて画像表示を成す駆動回路部とを備えたアクティブマトリクス型表示装置の調整方法において、
前記一垂直走査期間内で前記画素電極と前記対向電極との間の電位差の極性が互いに等しい第１の表示画素群の光透過率を前記第１光透過率または前記第２光透過率に設定する工程と、
前記一垂直走査期間内で前記画素電極と前記対向電極との間の電位差の極性が互いに等しい前記第１の表示画素群と異なる第２の表示画素群の光透過率を前記第１光透過率と前記第２光透過率との間の第３光透過率に設定する工程と、
前記電位差を調整する工程と、
を備えたことを特徴とするアクティブマトリクス型表示装置の調整方法。
【請求項１６】
前記画素電極と前記対向電極との間に液晶層が保持されて成ることを特徴とする請求項１５に記載のアクティブマトリクス型表示装置の調整方法。
【発明の詳細な説明】
【０００１】
【発明の属する技術分野】
本発明は、複数の表示画素が行および列のマトリクス状に配列されたアクティブマトリクス型表示装置の調整方法に関する。
【０００２】
【従来の技術】
近年、液晶表示装置に代表されるマトリクス型表示装置は、薄型、軽量、低消費電力の特徴を生かして、パーソナルコンピュータやワードプロセッサ等の表示装置として、ＴＶ表示装置として、更に投射型の表示装置として各種分野で利用されている。
【０００３】
中でも、スイッチ素子が各画素電極に電気的に接続されたアクティブマトリックス型表示装置は、隣接画素間でクロストークのない良好な表示画像を実現できることから、盛んに研究開発が行われている。
【０００４】
ところで、アクティブマトリクス型表示装置では、画素電極と対向電極との間に直流電圧が長時間にわたり印加されると、液晶材料等の光変調層の劣化を招き、その結果、表示画面の焼きつきやコントラスト比の低下を招き、長期間にわたり良好な表示品位が得られなくなる。このため、一般に画素電極と対向電極との間の電位差の極性を一垂直走査期間（Ｆ）毎に反転させて駆動する、いわゆるフレーム反転駆動が知られている。
【０００５】
また、表示画面のちらつき（以下、フリッカと称する。）を防止するべく、画素電極と対向電極との間に印加される電位差の極性を一垂直走査期間（Ｆ）毎に反転させると共に、各垂直走査期間（Ｆ）内で表示画素単位あるいは行単位で電位差の極性を反転させる技術が、例えば、特開昭６１−２７５８２２号公報、特開昭６２−２１８９４３号公報等で知られている。
【０００６】
要するに、図１５（ａ）および図５（ｂ）に示すように、画素電極と対向電極との間に印加される電位差の極性を一垂直走査期間（Ｆ）毎に反転させることに加え、更に行毎、すなわち一あるいは複数の水平画素ライン毎に画素電極と対向電極との間に印加される電位差の極性を反転させる、いわゆる水平（Ｈ）ライン反転駆動、また図１６（ａ）および図６（ｂ）に示すように、画素電極と対向電極との間に印加される電位差の極性を一垂直走査期間（Ｆ）毎に反転させることに加え、更に列毎、すなわち一あるいは複数の垂直画素ライン毎に画素電極と対向電極との間に印加される電圧差の極性を反転させる、いわゆる垂直（Ｖ）ライン反転駆動、また図１７（ａ）および図１７（ｂ）に示すように、画素電極と対向電極との間に印加される電圧差の極性を一垂直走査期間（Ｆ）毎に反転させることに加え、更に一あるいは複数の表示画素毎に画素電極と対向電極との間に印加される電圧差の極性を反転させる、いわゆるドット（ＨＶ）反転駆動が知られている。
【０００７】
【発明が解決しようとする課題】
ところで、アクティブマトリクス型液晶表示装置の各表示画素は、例えば図１８に示すように、信号線Ｘｉと走査線Ｙｊとの交差部近傍に配置される薄膜トランジスタ（以下、ＴＦＴと略称する。）と、この薄膜トランジスタに接続される画素電極Ｅと、この画素電極Ｅに液晶層を介して対向して液晶容量Ｃｌｃを構成する対向電極Ｃと、画素電極電位Ｖｅの変動を抑えるために液晶容量Ｃｌｃと並列に設定される補助容量Ｃｓとて構成される。
【０００８】
このような構成にあっては、ＴＦＴのゲート・ソース間および信号線Ｘｉと画素電極Ｅとの間に存在する寄生容量Ｃｇｓを排除できない。このため、ｎ型のＴＦＴでは、液晶容量Ｃｌｃに保持される電荷がＴＦＴのオフと同時に寄生容量Ｃｇｓに再配分され、この結果、画素電極電位Ｖｅが負側にレベルシフトする。尚、ｐ型のＴＦＴでは、これとは逆にレベルシフトする。ここでは、画素電極電位Ｖｅが対向電極電位Ｖｃよりも高電位に設定される電位差方向を正極性とし、画素電極電位Ｖｅが対向電極電位Ｖｃよりも低電位に設定される電位差方向を負極性とする。
【０００９】
フリッカの発生が防止され直流電圧の長期印加が阻止され良好な表示画像を維持するには、このような寄生容量Ｃｇｓに起因する画素電極電位Ｖｅのレベルシフト量を考慮して対向電極および信号線に印加される電圧を決定することが必要となる。
【００１０】
しかしながら、画素電極電位Ｖｅのレベルシフト量は、製品毎にばらつきのある液晶容量Ｃｌｃ、補助容量Ｃｓあるいは寄生容量Ｃｇｓに依存するため、これら印加電圧を予め設計により厳密に決定することができない。従って、通常、画面全体にわたって同輝度の画像表示を成した状態で観察者により目視によってフリッカが低減されるよう画素電極と対向電極との間の電位差が調整される。
【００１１】
ところが、上述したＶライン反転駆動、Ｈライン反転駆動あるいはＨＶ反転駆動されるアクティブマトリクス型表示装置にあっては、画素電極と対向電極との間の電位差の極性反転周期が通常のフレーム反転駆動に比べて短く、このためフリッカが目立ちにくい駆動であることから、目視によっても直流電圧の印加を阻止する厳密な調整が難しい。このため、フリッカは抑えられるものの、電位差の調整が不十分であるために、直流電圧が画素電極と対向電極との間に長期間にわたって印加される結果となる。このため、良好な画像表示を維持できない上、製品毎の寿命にばらつきが生じることもある。
【００１２】
本発明は、上述した技術的課題に対処すべく成されたもので、フリッカの発生が十分に抑えられるＶライン反転駆動、Ｈライン反転駆動あるいはＨＶ反転駆動のような駆動方式のアクティブマトリクス型表示装置であっても、直流電圧が長期間にわたり印加されることを軽減し、長期間にわたり良好な表示画像を確保するアクティブマトリクス型表示装置の調整方法を提供することを目的とする。
【００１３】
また、本発明は、製品毎にばらつきを少なくするアクティブマトリクス型表示装置の調整方法を提供することを目的とする。
【００１４】
【課題を解決すための手段】
本発明によれば、画素電極と対向電極との間の電位差に基づいて第１表示輝度からこの第１表示輝度よりも小さい第２表示輝度までの間の表示輝度に制御される表示画素が行および列方向にマトリクス状に配列されて成る表示パネルと、一垂直走査期間内で前記画素電極と前記対向電極との間の電位差の極性を一または複数の前記表示画素毎に異ならしめて画像表示を成す駆動回路部とを備えたアクティブマトリクス型表示装置の調整方法において、前記一垂直走査期間内で前記画素電極と前記対向電極との間の電位差の極性が互いに等しい第１の表示画素群の表示輝度を前記第１表示輝度または前記第２表示輝度に設定する工程と、前記一垂直走査期間内で前記画素電極と前記対向電極との間の電位差の極性が互いに等しい前記第１の表示画素群と異なる第２の表示画素群の表示輝度を前記第１表示輝度と前記第２表示輝度との間の第３表示輝度に設定する工程と、前記電位差を調整する工程とを備えたアクティブマトリクス型表示装置の調整方法が提供される。
【００１５】
このアクティブマトリクス型表示装置の調整方法では、上述した一垂直走査期間（Ｆ）において、第１または第２表示輝度が画素電極と対向電極との間に印加される電位差の極性が等しい表示画素群に設定され、第１表示輝度と第２表示輝度との間の第３表示輝度が他の表示画素群を設定される。
【００１６】
例えば図１９に示すように最大表示輝度あるいは最小表示輝度付近では、画素電極と対向電極との間の電位差の絶対値の変動に対する輝度変化が小さく、中間輝度（中間調）表示では電位差の絶対値の変動に対する輝度変化が大きい。このため、上述の表示状態とすることで、中間調表示に対する画素電極と対向電極との間の電位差の絶対値の変動を旨く抽出することができる。しかも、この中間調表示が成される表示画素群は、画素電極と対向電極との間の電位差の極性が各垂直走査期間（Ｆ）内でいずれも等しい。このため、観察者等にとっては、一垂直走査期間（Ｆ）内で所定の表示画素群毎に電位差の極性が異ならしめられて駆動されるにもかかわらず、一垂直走査期間（Ｆ）内で各表示画素に印加される電位差の極性が等しい駆動と実質的に同等の画像周波数に低減された中間調表示として視認することができる。すなわち、画像周波数が高い動作であるにもかかわらず、その画像周波数が低減された如く中間調表示を視認することができる。
【００１７】
これにより、フリッカの発生が十分に抑えられるＶライン反転駆動、Ｈライン反転駆動あるいはＨＶ反転駆動のような駆動方式のアクティブマトリクス型表示装置であっても、フリッカを抑えることで容易に画素電極と対向電極との間の電位差の不均一性を調整することができ、画素電極と対向電極との間に直流電圧が長期間にわたり印加されることを防止して良好な表示特性を維持できる。
【００１８】
また、フリッカの視認性を高めるためには、最大表示輝度を１００および最小表示輝度を０として中間輝度が３０から７０の表示輝度を達成する状態、更に好ましくは３５から４５の表示輝度を達成する状態が望ましい。また、ここで最大あるいは最小表示輝度とは、画素電極と対向電極との間の電位差の絶対値の変動に対する輝度変化が小さい領域の輝度を示すものである。また、最大あるいは最小表示輝度は、必ずしも白あるいは黒表状態を示すものではなく、緑や青等の表示状態であっても構わない。
【００１９】
尚、反射式の表示を考慮しなければ、表示画素の表示輝度という本明細書の表現を光透過率として読み替えても構わない。
【００２０】
【発明の実施の形態】
以下、本発明の一実施形態に係るアクティブマトリクス型液晶表示装置の調整方法について図面を参照して詳細に説明する。
【００２１】
このアクティブマトリクス型液晶表示装置は、ノーマリーホワイト・モードの光透過型の液晶表示装置であって、カラー表示が可能に構成された対角６インチの表示領域を備えている。
【００２２】
そして、このアクティブマトリクス型液晶表示装置は、同一階調表示（ラスター表示）を成した場合に、一垂直走査期間（Ｆ）毎に画素電極と対向電極との間の電位差の極性を反転させるフレーム反転駆動と共に、一垂直走査期間（Ｆ）内で行毎、すなわち一水平画素ライン毎に画素電極と対向電極との間の電位差の極性を反転させる１Ｈライン反転駆動に、更に信号振幅が低減されるよう対向電極電圧Ｖｃｏｍ  と映像信号電圧Ｖｓｉｇ  とを一水平走査期間（Ｈ）毎に反転させるコモン反転駆動方法が採用されるものである。
【００２３】
このアクティブマトリクス型液晶表示装置１    は、図１に示すように、液晶パネル１００と、液晶パネル１００を駆動するＸドライバ５００、Ｙドライバ６００および対向電極駆動回路７００とを含む。
【００２４】
液晶パネル１００は、図３および図４に示すようにアレイ基板１０１と対向基板３０１とが、それぞれ配向膜１９１，  ３９１を介して、ツイスト・ネマチック（ＴＮ）型の液晶層４００を保持し、図示しないがシール剤によって貼り合わされている。これら基板１０１，  ３０１の外側表面は、偏光軸が互いに直交するように配置された偏光板１９５，  ３９５で覆われる。尚、液晶層４００として、透明樹脂と液晶材料との混合系を用いた高分子分散型液晶を用いるのであれば、特に配向膜や偏光板を設ける必要はない。
【００２５】
アレイ基板１０１では、３２０×３本の信号線Ｘｉ（ｉ＝１，２，…，９６０）と２４０本の走査線Ｙｊ（ｊ＝１，２，…，２４０）とが略直交するように配置されている。各信号線Ｘｉと各走査線Ｙｊとの交点近傍には、逆スタガ構造のＴＦＴ１２１が配置される。このＴＦＴ１２１は走査線Ｙｊ自体で構成されるゲート電極と、この走査線Ｙｊ上に形成される窒化シリコンのゲート絶縁膜１１１と、ゲート絶縁膜１１１上に形成される非晶質シリコン薄膜（ａ−Ｓｉ：Ｈ）の活性層１１３、活性層１１３上に形成されるチャネル保護膜１１５と、ｎ＋型非結晶シリコン薄膜（ａ−Ｓｉ：Ｈ）の第１オーミックコンタクト層１１７を介して活性層１１３に接続され信号線Ｘｉから延在するドレイン電極１１８と、ｎ＋型非結晶シリコン薄膜（ａ−Ｓｉ：Ｈ）の第２オーミックコンタクト層１１７を介して活性層１１３に接続されさらにＩＴＯ（Ｉｎｄｉｕｍ  Ｔｉｎ  Ｏｘｉｄｅ）の透明導電膜で構成される画素電極１５１に接続されるソース電極１１９を備える。
【００２６】
本実施形態では、ａ−Ｓｉ：Ｈの活性層１１３を用いた逆スタガ構造のＴＦＴ１２１が例示されたが、このＴＦＴ１２１はスタガ構造であっても良く、活性層１１３は多結晶シリコン（ｐ−Ｓｉ）あるいは微結晶シリコン（μＣ−Ｓｉ）等で構成されても良い。
【００２７】
また、走査線Ｙｊに対し略平行に、しかも画素電極１５１と重複する領域を有して配置される補助容量線Ｃｊを備え、画素電極１５１と補助容量線Ｃｊとによって補助容量Ｃｓが形成されている。この補助容量Ｃｓは、隣接する走査線Ｙｊとの間で形成するものであっても構わない。
【００２８】
対向基板３０１は、アレイ基板１０１側に形成されたＴＦＴ１２１、信号線Ｘｉと画素電極１５１との間隙、および走査線Ｙｊと画素電極１５１との間隙に対向する格子状の遮光層３１１、カラー表示を実現するために遮光層３１１で囲まれた領域に配置された赤（Ｒ），緑（Ｇ），青（Ｂ）という３原色のカラーフィルタ層３２１、並びに画素電極１５１のアレイに対向して配置されるＩＴＯの対向電極３３１を備える。
【００２９】
このような液晶表示装置１の表示領域は垂直方向に配列される２４０本の水平画素ラインで構成される。各水平画素ラインは赤（Ｒ），緑（Ｇ），青（Ｂ）の３原色に対応する３個一組でカラー表示を行う［３２０×３］個の表示画素を有する。
【００３０】
本実施形態では、アレイ基板１０１上の画素電極１５１と対向基板３０１上の対向電極３３１との間に液晶層４００を保持させる構成としたが、アレイ基板１０１上に画素電極１５１と対向電極３３１を形成し、これら電極１５１，  ３３１間の横方向の電界を用いる液晶パネル１００を用いるものであっても構わない。
【００３１】
次に、Ｘドライバ５００について簡単に説明する。Ｘドライバ５００は、図１に示すように、水平クロック信号ＨＣＫに基づいて水平スタート信号ＨＳＴを順次転送し出力する９６０段のシフトレジスタＳＲ１、シフトレジスタＳＲ１の各段からの出力に基づいて、３本のアナログ映像信号供給ラインＬＲ，ＬＧ，ＬＢからのアナログ映像信号ＶＲ，ＶＧ，ＶＢを順次サンプリングするサンプリング回路ＳＰ、サンプリング回路ＳＰからの出力を制御信号ＬＳに基づいて保持し出力するラッチ回路ＬＡ、および各アナログ映像信号供給ラインＬＲ，ＬＧ，ＬＢに水平同期信号Ｈｓｙｎｃに基づいて一水平走査期間（１Ｈ）毎にアナログ映像信号ＶＲ，ＶＧ，ＶＢの極性を反転させて対応するアナログ信号供給ラインＬＲ，ＬＧ，ＬＢに出力する極性反転回路ＰＲとを備えて構成される。
【００３２】
Ｙドライバ６００は、垂直クロック信号ＶＣＫに基づいて垂直スタート信号ＶＳＴを順次転送し出力する２４０段のシフトレジスタＳＲ２を備えて構成される。
【００３３】
対向電極駆動回路７００は、図２に示すように、水平同期信号Ｈｓｙｎｃを反転出力する反転回路７１１、反転回路７１１の出力に基づいて５Ｖの第１電圧Ｖ１と０Ｖの第２電圧Ｖ２とを一水平走査期間（ＩＨ）毎に交互に選択する選択回路７２１、選択回路７２１からの方形波電圧の振幅を抵抗分圧して決定する第１抵抗Ｒ１および第２抵抗Ｒ２を含む分圧回路７３１、方形波電圧の反転中心をバイアスして決定する７Ｖの第３電圧Ｖ３とグランドとの間に介挿される第３抵抗Ｒ３、分圧回路７３１の出力をゲート入力として７Ｖの第３電圧Ｖ３と−５Ｖの第４電圧Ｖ４との間で方形波電圧の電位を決定する出力電圧調整回路７５１とを含む。
【００３４】
以上の構成により、このアクティブマトリクス型液晶表示装置１は次のように動作する。
【００３５】
図５は最低表示輝度に対応した黒色表示の場合における駆動波形である。ここで、図５（ａ）は第１水平画素ラインＬ１の一表示画素について示し、図５（ｂ）は隣接する第２水平画素ラインＬ２の一表示画素について示す。
【００３６】
この場合、信号線と対向電極とには、それぞれ映像信号電圧Ｖｓｉｇ  と対向電極電圧Ｖｃｏｍ  が印加され、これらはそれぞれ一水平走査期間（Ｈ）毎に互いに逆位相でそれぞれの基準電位Ｖｓｉｇ−ｃ  ，Ｖｃｏｍ−ｃ  に対して極性反転する。
【００３７】
第１水平画素ラインＬ１の一表示画素では、第１垂直走査期間（１Ｆ）内で対応する走査線Ｙ１に走査パルスＶｇが印加され、ＴＦＴ１２１がオン状態の間、画素電極には対向電極電圧Ｖｃｏｍ  に対し、黒色表示に対応した高電圧側の映像信号電圧Ｖｓｉｇ  がＴＦＴ１２１を介して印加される。そして、走査パルスＶｇが立ち下がりＴＦＴ１２１がオフ状態となると、対向電極電位Ｖｃと画素電極電位Ｖｅとの間の正の電位差が、次の垂直走査期間（Ｆ）である第２垂直走査期間（２Ｆ）内で対応する走査線Ｙ１に走査パルスＶｇが印加され、再びＴＦＴ１２１がオン状態となるまでの間保持される。この保持される電位差に対応した表示画像、つまり黒色表示が成される。また、この表示画素は、第２垂直走査期間（２Ｆ）内で対応する走査線Ｙ１に走査パルスＶｇが印加され、ＴＦＴ１２１がオン状態の間、画素電極には対向電極電圧Ｖｃｏｍ  に対して低電圧側の映像信号電圧Ｖｓｉｇ  が書き込まれる。そして、対向電極電位Ｖｃと画素電極電位Ｖｅとの間の負の電位差が、第３垂直走査期間（３Ｆ）内で対応する走査線Ｙ１に走査パルスＶｇが印加され、再びＴＦＴ１２１がオン状態となるまでの間保持される。この保持される電位差に対応した表示画像、つまり黒色表示が成される。そして、この第１および第２垂直走査期間を１サイクルとして順次繰り返される。
【００３８】
第１水平画素ラインＬ１と隣接する第２水平画素ラインＬ２の一表示画素では、第１垂直走査期間（１Ｆ）内で対応する走査線Ｙ２に走査パルスＶｇが印加され、ＴＦＴ１２１がオン状態の間、画素電極には対向電極電圧Ｖｃｏｍ  に対して低電圧側の映像信号電圧Ｖｓｉｇ  が書き込まれる。そして、走査パルスＶｇが立ち下がりＴＦＴ１２１がオフ状態となると、対向電極電位Ｖｃと画素電極電位Ｖｅとの間の負の電位差が、次の垂直走査期間（Ｆ）である第２垂直走査期間（２Ｆ）内で対応する走査線Ｙ２に走査パルスＶｇが印加され、再びＴＦＴ１２１がオン状態となるまでの間保持される。この保持される電位差に対応した表示画像、つまり黒色表示が成される。また、第２水平画素ラインＬ２の同一の表示画素では、第２垂直走査期間（２Ｆ）内で対応する走査線Ｙ２に走査パルスＶｇが印加され、ＴＦＴ１２１がオン状態の間、画素電極には対向電極電圧Ｖｃｏｍ  に対して高電圧側の映像信号電圧Ｖｓｉｇ  が書き込まれる。そして、対向電極電位Ｖｃと画素電極電位Ｖｅとの間の正の電位差が、第３垂直走査期間（３Ｆ）内で対応する走査線Ｙ２に走査パルスＶｇが印加され、再びＴＦＴ１２１がオン状態となるまでの間保持される。この保持される電位差に対応した表示画像、つまり黒色表示が成される。そして、この第１および第２垂直走査期間を１サイクルとして順次繰り返される。
【００３９】
図６は最高表示輝度に対応した白色表示の場合における駆動波形である。ここで、図６（ａ）は図５同様に第１水平画素ラインＬ１の一表示画素について示し、図６（ｂ）は隣接する第２水平画素ラインＬ２の一表示画素について示す。
【００４０】
この場合、映像信号電圧Ｖｓｉｇ  と対向電極電圧Ｖｃｏｍ  は、それぞれ一水平走査期間（Ｈ）毎に同位相で基準電位Ｖｓｉｇ−ｃ  ，Ｖｃｏｍ−ｃ  に対して極性反転する。
【００４１】
第１水平画素ラインＬ１の一表示画素では、第１垂直走査期間（１Ｆ）内で対応する走査線Ｙ１に走査パルスＶｇが印加され、ＴＦＴ１２１がオン状態の間、画素電極には対向電極電圧Ｖｃｏｍ  に対して高電圧側の映像信号電圧Ｖｓｉｇ  が書き込まれる。そして、走査パルスＶｇが立ち下がりＴＦＴ１２１がオフ状態となると、対向電極電位Ｖｃと画素電極電位Ｖｅとの間の正の電位差（実質的に零）が、次の垂直走査期間（Ｆ）である第２垂直走査期間（２Ｆ）内で対応する走査線Ｙ１に走査パルスＶｇが印加され、再びＴＦＴ１２１がオン状態となるまでの間保持される。この保持される電位差に対応した表示画像、つまり白色表示が成される。また、この表示画素では、第２垂直走査期間（２Ｆ）内で対応する走査線Ｙ１に走査パルスＶｇが印加され、ＴＦＴ１２１がオン状態の間、画素電極には対向電極電圧Ｖｃｏｍ  に対して低電圧側の映像信号電圧Ｖｓｉｇ  が書き込まれる。そして、対向電極電位Ｖｃと画素電極電圧Ｖｅとの間の負の電位差が、第３垂直走査期間（３Ｆ）内で対応する走査線Ｙ１に走査パルスＶｇが印加され、再びＴＦＴ１２１がオン状態となるまでの間保持される。この保持される電位差に対応した表示画像、つまり白色表示が成される。やはりこの場合も、第１および第２垂直走査期間を１サイクルとして順次繰り返される。
【００４２】
第２水平画素ラインＬ２についての説明はここでは省略する。
【００４３】
ところで、このようなアクティブマトリクス型液晶表示装置１にあっては、上述したフレーム反転駆動と共に１Ｈライン反転駆動が成されるため、フリッカを視認することが困難となり、このため通常の表示状態で画素電極と対向電極との間の直流電圧の印加をフリッカを抑えることで解消することが極めて困難である。
【００４４】
そこで、本実施形態では、例えば図７に示すように、奇数水平画素ライン群に最低表示輝度に対応した黒色表示、偶数水平画素ラインには中間表示輝度に対応した灰色表示を成す。
【００４５】
図８は、図７に示す表示状態を実現するための駆動波形である。ここで、図８（ａ）は第１水平画素ラインＬ１の一表示画素について示し、図８（ｂ）は隣接する第２水平画素ラインＬ２の一表示画素について示す。尚、本実施形態における中間表示輝度は、最低表示輝度を０、最大表示輝度を１００とした場合、４０の表示輝度である。
【００４６】
第１水平画素ラインＬ１の一表示画素では、第１垂直走査期間（１Ｆ）内で対応する走査線Ｙ１に２０Ｖの走査パルスＶｇが印加され、ＴＦＴ１２１がオン状態の間、画素電極には０Ｖの対向電極電圧Ｖｃｏｍ  に対して高電圧側の６Ｖの映像信号電圧Ｖｓｉｇ  が書き込まれる。画素電極電位ＶｅはＴＦＴ１２１のオフと同時に電荷が寄生容量Ｃｇｓに再配分されるため電位が略１Ｖ低下し、これにより対向電極電位Ｖｃと画素電極電位Ｖｅとの間の５Ｖの正の電位差が、第１垂直走査期間（１Ｆ）に連続する第２垂直走査期間（２Ｆ）内で対応する走査線Ｙ１に走査パルスＶｇが印加され、再びＴＦＴ１２１がオン状態となるまでの間保持される。この保持される電位差に対応した表示画像、つまり黒表示が成される。第２垂直走査期間（２Ｆ）においても、上述した動作により、画素電極には５Ｖの対向電極電圧Ｖｃｏｍ  に対して十分に低電圧側の１Ｖの映像信号電圧Ｖｓｉｇ  が書き込まれ、やはりＴＦＴ１２１のオフと同時に寄生容量Ｃｇｓに電荷の再配分がなされ、画素電極電位Ｖｅは電位が略１Ｖ低下する。このため、対向電極電位Ｖｃと画素電極電位Ｖｅとの間の５Ｖの負の電位差が保持され、これに基づいて黒表示が成される。そして、第１および第２垂直走査期間を１サイクルとして順次繰り返される。
【００４７】
第１水平画素ラインＬ１と連続する第２水平画素ラインＬ２の一表示画素では、第１垂直走査期間（１Ｆ）内で対応する走査線Ｙ２に２０Ｖの走査パルスＶｇが印加され、ＴＦＴ１２１がオン状態の間、画素電極には５Ｖの対向電極電圧Ｖｃｏｍ  に対して若干低電圧側の４Ｖの映像信号電圧Ｖｓｉｇ  が書き込まれる。画素電極電位Ｖｅは、ＴＦＴ１２１のオフと同時に寄生容量Ｃｇｓへの電荷の再配分の影響を受けて電位が略１Ｖ低下するため、対向電極電位Ｖｃと画素電極電位Ｖｅとの間の２Ｖの負の電位差が、第１垂直走査期間（１Ｆ）に連続する第２垂直走査期間（２Ｆ）内で対応する走査線Ｙ２に走査パルスＶｇが印加され、再びＴＦＴ１２１がオン状態となるまでの間保持される。この保持される電位差に対応した表示画像、つまり灰色表示が成される。また、第２垂直走査期間（２Ｆ）の走査パルスＶｇのオン期間の間、画素電極には０Ｖの対向電極電圧Ｖｃｏｍ  に対して若干高電圧側の３Ｖの映像信号電圧Ｖｓｉｇ  が書き込まれ、同様に画素電極電位ＶｅはＴＦＴ１２１のオフと同時に電位が略１Ｖ低下するため、対向電極電位Ｖｃと画素電極電位Ｖｅとの間の２Ｖの正の電位差が所定の期間保持され、この電位差に対応した表示画像、やはり灰色表示が成される。そして、第１および第２垂直走査期間を１サイクルとして順次繰り返される。
【００４８】
以上の表示状態とすることにより、奇数水平画素ラインは黒色表示（最低表示輝度）であるため、画素電極と対向電極との間の電位差の絶対値の変動に対する輝度変化が小さいのに対し、偶数水平画素ラインは灰色表示（中間表示輝度）であるため、画素電極と対向電極との間の電位差の絶対値の変動に対する輝度変化が大きい。このため、観察者は、偶数水平画素ラインの輝度変化を注意深く観察することができる。しかも、この偶数水平画素ライン群は、画素電極と対向電極との間に印加される電位差の極性が各垂直走査期間（Ｆ）において等しい。このため、観察者にとっては一水平画素ライン毎に画素電極と対向電極との間の電位差の極性が異ならしめて駆動されるにもかかわらず、一垂直走査期間（Ｆ）内で電位差の極性が等しい場合と実質的に同等に画像周波数が低減された如く灰色表示（中間表示輝度）の輝度変化、すなわちフリッカを視認することができる。
【００４９】
例えば、対向電極電圧Ｖｃｏｍ  の極性反転の基準電位Ｖｃｏｍ−ｃ  が理想値よりも低い設定であった場合、画素電極と対向電極との間には正の電位差が継続的に印加されることとなるが、本実施形態の手法によれば観察者はフリッカを比較的容易に視認することができる。そこで、観察者は、フリッカが解消されるように対向電極駆動回路７００の可変抵抗Ｒ２を調整し、極性反転の基準電位Ｖｃｏｍ−ｃ  を高く設定することにより、画素電極と対向電極との間に長期間にわたり直流電圧が印加されることを解消することができる。
【００５０】
逆に、対向電極電圧Ｖｃｏｍ  の極性反転の基準電位が理想値よりも高い設定であった場合、やはり観察者にとってフリッカが視認される。この場合も、同様にして観察者は対向電極駆動回路７００の可変抵抗Ｒ２を調整し、極性反転の基準電位Ｖｃｏｍ−ｃ  を低く設定することにより、画素電極と対向電極との間に長期間にわたり直流電圧が印加されることを解消することができる。
【００５１】
上述した実施形態では、フレーム反転駆動と共に、１Ｈライン反転駆動に、更にコモン反転駆動方法が採用されたアクティブマトリクス型液晶表示装置を例にとり調整方法を説明したが、隣接する２水平画素ライン毎あるいは３水平画素ライン毎等の複数水平画素ライン毎に画素電極と対向電極との間の電位差の極性が反転するＨライン反転駆動であっても、同様にして調整することができる。
【００５２】
また、Ｖライン反転駆動方法が採用されたアクティブマトリクス型液晶表示装置であれば、図９に示すように一垂直走査期間（Ｆ）において画素電極と対向電極との間に印加される電位差の極性が等しい表示画素群を最低表示輝度となし、一垂直走査期間において電位差の極性が等しい他の表示画素群に中間表示輝度となすことによりフリッカの視認が容易となる。この場合、対向電極電圧Ｖｃｏｍ  を直接調整してフリッカを解消することにより、画素電極と対向電極との間に長期間にわたり直流電圧が印加されることを防止できる。
【００５３】
上述した実施形態では、対向電極電圧Ｖｃｏｍ  を調整する場合を説明したが、映像信号電圧Ｖｓｉｇ  の極性反転の基準電位Ｖｓｉｇ−ｃ  を調整しても構わない。すなわち、この調整は、画素電極電位Ｖｅと対向電極電位Ｖｃとの電位差が調整されるものであれば良く、補助容量線Ｃｊに印加される電圧を制御して電位差を調整するものであっても構わない。しかしながら、対向電極電圧Ｖｃｏｍ  の調整が表示画像に与える影響が少なく簡便であることから望ましい。
【００５４】
次に、本発明の他の実施形態に係るアクティブマトリクス型液晶表示装置の調整方法について図面を参照して詳細に説明する。尚、上述した実施形態と同一箇所には同一符号を付してある。
【００５５】
このアクティブマトリクス型液晶表示装置は、ノーマリーホワイト・モードの光透過型の液晶表示装置であって、カラー表示が可能に構成された対角１２．  １インチの表示領域を備えている。
【００５６】
そして、このアクティブマトリクス型液晶表示装置は、同一画像表示を成した場合に、一垂直走査期間（Ｆ）毎に画素電極と対向電極との間の電位差の極性を反転させるフレーム反転駆動と共に、各垂直走査期間（Ｆ）内で各表示画素毎に画素電極と対向電極との間の電位差の極性を反転させるＨＶ反転駆動方法が採用されるものである。
【００５７】
すなわち、このアクティブマトリクス型液晶表示装置１    は、図１０に示すように、液晶パネル１００と、液晶パネル１００を駆動するＸドライバ５００、Ｙドライバ６００および対向電極駆動回路７００とを含む。この液晶表示装置の表示領域は、垂直方向に配列される７６８本の水平画素ラインで構成される。各水平画素ラインは赤（Ｒ），緑（Ｇ），青（Ｂ）の３原色に対応する３個一組でカラー表示を行う［１０２４×３］個の表示画素で構成される。
【００５８】
液晶パネル１００は、その表示画素数が異なる他は上述した実施形態と同様の構成であるため説明は省略する。
【００５９】
次に、Ｘドライバ５００について簡単に説明する。Ｘドライバ５００は、水平クロック信号ＨＣＫに基づいて水平スタート信号ＨＳＴを順次転送し出力する１０２４段のシフトレジスタＳＲ１、シフトレジスタＳＲ１の各段からの出力に基づいて、シリアル入力される各８ビットの赤（Ｒ），緑（Ｇ），青（Ｂ）のディジタル映像データＤＲ  ，ＤＧ  ，ＤＢ  のそれぞれを各表示画素に対応するディジタルデータに直並列変換し、ディジタルデータに対応する所望のアナログ電圧に変換するディジタル−アナログ変換するディジタル−アナログ変換回路ＤＡＣ、ディジタル−アナログ変換回路ＤＡＣからの出力を制御信号ＬＳに基づいて保持し出力するラッチ回路ＬＡとを備えて構成される。尚、入力される各８ビットの赤（Ｒ），緑（Ｇ），青（Ｂ）のディジタル映像データＤＲ  ，ＤＧ  ，ＤＢ  は隣接する表示画素毎に極性が反転されるよう予め処理されている。
【００６０】
Ｙドライバ６００は、垂直クロック信号ＶＣＫに基づいて垂直スタート信号ＶＳＴを順次転送し出力する７６８段のシフトレジスタＳＲ２を備えて構成される。
【００６１】
対向電極駆動回路７００は、図１１に示すように１０Ｖの第１電圧Ｖ１に直列接続された第１抵抗Ｒ１および第２抵抗Ｒ２を備え、これら抵抗により分圧された５Ｖの直流電圧を対向電極電圧Ｖｃｏｍ  として出力するように構成され、第２抵抗Ｒ２を調整することにより対向電極電圧Ｖｃｏｍ  が可変できるように構成されている。
【００６２】
以上の構成により、このアクティブマトリクス型液晶表示装置１は次のように動作する。
【００６３】
図１２は最低表示輝度に対応した黒色表示の場合における駆動波形である。ここで、図１２（ａ）は第１水平画素ラインＬ１の一表示画素について示し、図１２（ｂ）は同一の信号線に接続された隣接する第２水平画素ラインＬ２の一表示画素について示す。
【００６４】
対向電極電圧Ｖｃｏｍ  は５Ｖに設定され、映像信号電圧Ｖｓｉｇ  は一水平走査期間（Ｈ）毎に基準電位Ｖｓｉｇ−ｃ  に対して極性反転する。
【００６５】
第１水平画素ラインＬ１の一表示画素では、第１垂直走査期間（１Ｆ）内で対応する走査線Ｙ１に走査パルスＶｇが印加され、ＴＦＴ１２１がオン状態の間、画素電極には対向電極電圧Ｖｃｏｍ  に対して高電圧側の１１Ｖの映像信号電圧Ｖｓｉｇ  が書き込まれる。画素電極電位Ｖｅは、走査パルスＶｇの立ち下がりによるＴＦＴ１２１のオフと同時に寄生容量Ｃｇｓへの電荷の再配分に伴い電位が略１Ｖ低下するため、対向電極電位Ｖｃｏｍ  と画素電極電位Ｖｅとの間の正の５Ｖの電位差が、次の垂直走査期間（Ｆ）である第２垂直走査期間（２Ｆ）内で対応する走査線Ｙ１に走査パルスＶｇが印加され、再びＴＦＴ１２１がオン状態となるまでの間保持される。この保持される電位差に対応した表示画像、つまり黒色表示が成される。また、この表示画素は、第２垂直走査期間（２Ｆ）内で対応する走査線Ｙ１に走査パルスＶｇが印加され、ＴＦＴ１２１がオン状態の間、画素電極には対向電極電圧Ｖｃｏｍ  に対して低電圧側の１Ｖの映像信号電圧Ｖｓｉｇ  が書き込まれる。画素電極電位ＶｅはＴＦＴ１２１のオフと同時に、やはり電荷の寄生容量Ｃｇｓへの再配分に伴い電位が略１Ｖ低下し、対向電極電位Ｖｃと画素電極電位Ｖｅとの間の負の５Ｖの電位差が、第３垂直走査期間（３Ｆ）内で対応する走査線Ｙ１に走査パルスＶｇが印加され、再びＴＦＴ１２１がオン状態となるまでの間保持される。この保持される電位差に対応した表示画像、つまり黒色表示が成される。そして、この第１および第２垂直走査期間（Ｆ）を１サイクルとして順次繰り返される。
【００６６】
第１水平画素ラインＬ１と隣接する第２水平画素ラインＬ２の一表示画素では、第１垂直走査期間（１Ｆ）内で対応する走査線Ｙ２に走査パルスＶｇが印加され、ＴＦＴ１２１がオン状態の間、画素電極には５Ｖの対向電極電圧Ｖｃｏｍ  に対して低電圧側の１Ｖの映像信号電圧Ｖｓｉｇ  が書き込まれる。画素電極電圧ＶｅはＴＦＴ１２１のオフと同時に寄生容量Ｃｇｓへの電荷の再配分に伴い電位が略１Ｖ低下し、対向電極電位Ｖｃと画素電極電位Ｖｅとの間の負の５Ｖの電位差が、次の垂直走査期間（Ｆ）である第２垂直走査期間（２Ｆ）内で対応する走査線Ｙ２に走査パルスＶｇが印加され、再びＴＦＴ１２１がオン状態となるまでの間保持される。この保持される電位差に対応した表示画像、つまり黒色表示が成される。また、第２水平画素ラインＬ２の同一の表示画素では、第２垂直走査期間（２Ｆ）内で対応する走査線Ｙ２に走査パルスＶｇが印加され、ＴＦＴ１２１がオン状態の間、画素電極には対向電極電圧Ｖｃｏｍ  に対して高電圧側の１１Ｖの映像信号電圧Ｖｓｉｇ  が書き込まれる。そして、画素電極電位Ｖｅはやはり寄生容量Ｃｇｓへの電荷の再配分の影響を受けて電位が略１Ｖ低下し、対向電極電位Ｖｃと画素電極電位Ｖｅとの間の正の５Ｖの電位差が、第３垂直走査期間（３Ｆ）内で対応する走査線Ｙ２に走査パルスＶｇが印加され、再びＴＦＴ１２１がオン状態となるまでの間保持される。この保持される電位差に対応した表示画像、つまり黒色表示が成される。そして、この第１および第２垂直走査期間（Ｆ）を１サイクルとして順次繰り返される。
【００６７】
ここで、最高輝度表示に対応する白色表示の場合における駆動波形については説明を省略するが、このアクティブマトリクス型液晶表示装置１によれば隣接する表示画素毎に画素電極と対向電極との間の電位差の極性が反転されるため、フリッカが極めて視認されにくい。
【００６８】
そこで、本実施形態においても、一垂直走査期間（Ｆ）において画素電極と対向電極との間に印加される電位差の極性が等しい表示画素群を最低表示輝度とし、偶数水平画素ラインには中間表示輝度とする。
【００６９】
すなわち図１３に示すように、隣接する表示画素毎に最高表示輝度と中間表示輝度とを交互に表示させることにより調整を行う。
【００７０】
図１４は図１３に示す表示状態を実現するための駆動波形である。ここで、図１３（ａ）は第１水平画素ラインＬ１の一表示画素について示し、図１４（ｂ）は隣接する第２水平画素ラインＬ２の同一信号線に接続される一表示画素について示す。
【００７１】
尚、本実施形態における中間表示輝度は、最低表示輝度を０、最大表示輝度を１００とした場合、４０の表示輝度である。
【００７２】
第１水平画素ラインＬ１の一表示画素では、第１垂直走査期間（１Ｆ）内で対応する走査線Ｙ１に２０Ｖの走査パルスＶｇが印加され、ＴＦＴ１２１がオン状態の間、画素電極には５Ｖの対向電極電圧Ｖｃｏｍ  に対して高電圧側の１１Ｖの映像信号電圧Ｖｓｉｇ  が書き込まれる。画素電極電圧ＶｅはＴＦＴ１２１のオフと同時に寄生容量Ｃｇｓへの電荷の再配分に伴い電位が略１Ｖ低下するため、対向電極電位Ｖｃと画素電極電位Ｖｅとの間の５Ｖの正の電位差が、第１垂直走査期間（１Ｆ）に連続する第２垂直走査期間（２Ｆ）内で対応する走査線Ｙ１に走査パルスＶｇが印加され、再びＴＦＴ１２１がオン状態となるまでの間保持される。この保持される電位差に対応した表示画像、つまり最低表示輝度での表示が成される。第２垂直走査期間（２Ｆ）においても、上述した動作により、画素電極には５Ｖの対向電極電圧Ｖｃｏｍ  に対して十分に低電圧側の１Ｖの映像信号電圧Ｖｓｉｇ  が書き込まれ、画素電極電位ＶｅはＴＦＴ１２１のオフと同時に寄生容量Ｃｇｓへの電荷の再配分に伴い電位が略１Ｖ低下するため、対向電極電位Ｖｃｏｍ  と画素電極電位Ｖｅとの間の５Ｖの負の電位差に基づいて最低表示輝度での表示が成され、この第１および第２垂直走査期間を１サイクルとして順次繰り返される。
【００７３】
第１水平画素ラインＬ１と連続する第２水平画素ラインＬ２の隣接する一表示画素では、第１垂直走査期間（１Ｆ）内で対応する走査線Ｙ２に走査パルスＶｇが印加され、ＴＦＴ１２１がオン状態の間、画素電極には５Ｖの対向電極電圧Ｖｃｏｍ  に対して若干低電圧側の４Ｖの映像信号電圧Ｖｓｉｇ  が書き込まれ、画素電極電圧ＶｅはＴＦＴ１２１のオフと同時に寄生容量Ｃｇｓへの電荷の再配分に伴い電位が略１Ｖ低下するため、対向電極電位Ｖｃと画素電極電位Ｖｅとの間の２Ｖの負の電位差が、第１垂直走査期間（Ｆ１）に連続する第２垂直走査期間（２Ｆ）内で対応する走査線Ｙ２に走査パルスＶｇが印加され、再びＴＦＴ１２１がオン状態となるまでの間保持される。この保持される電位差に対応した表示画像、つまり中間表示輝度での表示が成される。また、第２垂直走査期間（２Ｆ）の走査パルスＶｇのオン期間の間、画素電極には５Ｖの対向電極電圧Ｖｃｏｍ  に対して若干高電圧側の８Ｖの映像信号電圧Ｖｓｉｇ  が書き込まれ、画素電極電位ＶｅはＴＦＴ１２１のオフと同時に寄生容量Ｃｇｓへの電荷の再配分の影響を受けて電位が略１Ｖ低下するため、対向電極電位Ｖｃと画素電極電位Ｖｅとの間の２Ｖの正の電位差が所定の期間保持され、この電位差に対応した表示画像、やはり中間表示輝度での表示が成され、この第１および第２垂直走査期間を１サイクルとして順次繰り返される。
【００７４】
以上の表示状態とすることにより、特定の表示画素群は最低表示輝度であるため、画素電極と対向電極との間の電位差の絶対値の変動に対する輝度変化が小さいのに対し、他の表示画素群は中間表示輝度であるため、画素電極と対向電極との間の電位差の絶対値の変動に対する輝度変化が大きい。このため、観察者は、中間表示輝度を成すの表示画素群の輝度変化を注意深く観察することができる。しかも、この表示画素群は、画素電極と対向電極との間に印加される電位差の極性が各垂直走査期間（Ｆ）において等しい。このため、観察者にとっては一表示画素毎に画素電極と対向電極との間の電位差の極性が異ならしめて駆動されるにもかかわらず、一垂直走査期間（Ｆ）内で電位差の極性が等しい場合と実質的に同等に画像周波数が低減された如く全体として灰色表示を成す中間表示輝度の輝度変化、すなわちフリッカを視認することができる。
【００７５】
例えば、対向電極電圧Ｖｃｏｍ  が理想値よりも低い設定であった場合、液晶層には正の電位差が継続的に印加されることとなるが、本実施形態の手法によれば観察者はフリッカを比較的容易に視認することができる。そこで、対向電極駆動回路７００の可変抵抗Ｒ２を調整し、これによりフリッカの発生を抑え、また液晶層への直流電圧の印加を解消して長寿命化が図れる。
【００７６】
逆に、対向電極電圧Ｖｃｏｍ  が理想値よりも高い設定であった場合、液晶層には正の電位差が継続的に印加されることとなり、やはり観察者にとってフリッカが視認される。従って、対向電極駆動回路７００の可変抵抗Ｒ２を調整し、これによりフリッカの発生を抑え、また液晶層への直流電圧の印加を解消して長寿命化が図れる。
【００７７】
上述した実施形態は、表示画素毎に画素電極と対向電極との間の電位差の極性が異ならしめられるＨＶ反転駆動方法のアクティブマトリクス型液晶表示装置を例にとり、その調整方法について説明したが、例えば赤（Ｒ），緑（Ｇ），青（Ｂ）の３表示画素から成る表示絵素毎に画素電極と対向電極との間の電位差の極性が異ならしめられる場合であっても、一垂直走査期間（Ｆ）において画素電極と対向電極との間に印加される電位差の極性が等しい表示画素群に最大表示輝度あるいは最小表示輝度をなし、一垂直走査期間において電位差の極性が等しい他の表示画素群に中間表示輝度をなす表示状態により、観察者は同様にしてフリッカ調整が可能となり、これにより液晶層への直流電圧の印加を解消して長寿命化が図れる。
【００７８】
また、本実施形態においても、対向電極電圧Ｖｃｏｍ  を調整する場合を説明したが、映像信号電圧Ｖｓｉｇ  の極性反転の基準電位Ｖｓｉｇ−ｃ  を調整しても構わない。すなわち、この調整は、画素電極電位Ｖｅと対向電極電位Ｖｃとの電位差が調整されるものであれば良く、補助容量線Ｃｊに印加される電圧を制御して電位差を調整するものであっても構わない。しかしながら、対向電極電圧Ｖｃｏｍ  の調整が表示画像に与える影響が少なく簡便であることから望ましい。
【００７９】
上述した実施形態は、いずれも目視によりフリッカが低減されるよう電位差を調整するものとしたが、光学機器を用いてフリッカを検出し電位差を調整しても良いことは言うまでもない。
【００８０】
また、本発明は透過方式の液晶表示装置だけに限定されず、例えば反射方式の液晶表示装置にも適用できる。
【００８１】
【発明の効果】
本発明のアクティブマトリクス型表示装置の調整方法によれば、容易に画素電極と対向電極との間に直流電圧が長期間にわたり印加されることを防止でき、これにより長期間にわたり良好な表示画像が確保できる。また、本発明によれば、製品毎に寿命のばらつきを軽減することができる。
【図面の簡単な説明】
【図１】本発明の一実施形態に係るアクティブマトリクス型液晶表示装置の構成を概略的に示す回路図である。
【図２】図１に示す対向電極駆動回路の構成を概略的に示す回路図である。
【図３】図１に示す液晶パネルに設けられるアレイ基板を部分的に示す平面図である。
【図４】図３に示すＡ−Ａ’線に沿って液晶パネルの構成を示す断面図である。
【図５】図１に示す液晶表示装置の一駆動波形を示す波形図である。
【図６】図１に示す液晶表示装置の一駆動波形を示す波形図である。
【図７】図１に示す液晶表示装置の調整工程に用いられる表示状態を示す図である。
【図８】図７に示す表示状態を実現するための一駆動波形を示す波形図である。
【図９】図７に示す表示状態とは異なる他の表示状態を示す図である。
【図１０】本発明の他の実施形態に係るアクティブマトリクス型液晶表示装置の構成を概略的に示す回路図である。
【図１１】図１０に示す対向電極駆動回路の構成を概略的に示す回路図である。
【図１２】図１０に示す液晶表示装置の一駆動波形を示す波形図である。
【図１３】図１０に示す液晶表示装置の調整工程に用いられる表示状態を示す図である。
【図１４】図１３の表示状態を実現するための一駆動波形を示す波形図である。
【図１５】アクティブマトリクス型液晶表示装置の第１駆動例を説明するための図である。
【図１６】アクティブマトリクス型液晶表示装置の第２駆動例を説明するための図である。
【図１７】アクティブマトリクス型液晶表示装置の第３駆動例を説明するための図である。
【図１８】アクティブマトリクス型液晶表示装置に設けられる各画素の等価回路図である。
【図１９】画素電極と対向電極との間の電位差の絶対値に対する相対表示輝度の依存性を示す図である。
【符号の説明】
１…アクティブマトリクス型液晶表示装置
１００…液晶パネル
５００…Ｘドライバ
６００…Ｙドライバ
７００…対向電極駆動回路
【図１】
0003596716.tif 000002
【図２】
0003596716.tif 000003
【図３】
0003596716.tif 000004
【図４】
0003596716.tif 000005
【図５】
0003596716.tif 000006
【図６】
0003596716.tif 000007
【図７】
0003596716.tif 000008
【図８】
0003596716.tif 000009
【図９】
0003596716.tif 000010
【図１０】
0003596716.tif 000011
【図１１】
0003596716.tif 000012
【図１２】
0003596716.tif 000013
【図１３】
0003596716.tif 000014
【図１４】
0003596716.tif 000015
【図１５】
0003596716.tif 000016
【図１６】
0003596716.tif 000017
【図１７】
0003596716.tif 000018
【図１８】
0003596716.tif 000019
【図１９】
0003596716.tif 000020